(57)【要約】【課題】標準時刻信号の受信状態がよくない場合であっても時刻修正を行うことができ、消費電力を低減することができる電波修正時計を提供する。【解決手段】内部時計と、所定時刻、たとえば毎正時付近になると時報信号を含む放送波を受信するＡＭラジオ受信回路１１５０と、標準時刻信号を含む標準電波信号を受信する標準電波受信回路１１３０と、ＡＭラジオ受信回路１１５０により受信される時報信号に基づいて、内部時計が計時する時刻情報を修正し、設定された時刻になった場合に、標準時刻信号のうち時報信号により修正できる秒情報および分情報以外の、予め設定された時刻情報、たとえば時情報やサマータイム情報等を、標準電波受信回路１１３０に受信させる受信タイミング制御を行い、標準電波受信回路１１３０により受信された時刻情報に応じて内部時計が計時する時刻情報を修正する制御回路１４とを設ける。【選択図】図２
2006112937.tif 000002
【特許請求の範囲】
【請求項１】
内部時計と、
所定時刻に時報信号を含む放送波を受信する放送波受信手段と、
標準時刻信号を含む標準電波信号を受信する標準電波受信手段と、
前記放送波受信手段により受信される時報信号に基づいて前記内部時計が計時する時刻情報を修正し、設定された時刻になった場合に、前記標準時刻信号のうち前記時報信号により修正できる秒情報および分情報以外の、予め設定された受信対象の時刻情報を、前記標準電波受信手段に受信させる受信タイミング制御を行い、前記標準電波受信手段により受信された時刻情報に応じて前記内部時計が計時する時刻情報を修正する制御手段と
を有する電波修正時計。
【請求項２】
前記制御手段は、前記設定された時刻になった場合に、前記標準時刻信号のうち、時情報、年情報、月情報、日情報、サマータイム情報、および停波情報のいずれかの時刻情報を前記標準電波受信手段に受信させる受信タイミング制御を行い、前記標準電波受信手段により受信された時刻情報に応じて前記内部時計が計時する時刻情報を修正する
請求項１に記載の電波修正時計。
【請求項３】
前記制御手段は、初期時に入力された時刻情報に基づいて前記内部時計が計時する時刻情報を設定する
請求項１または２に記載の電波修正時計。
【請求項４】
操作スイッチを有し、
前記制御手段は、前記操作スイッチが操作された場合に、前記標準電波受信手段に前記標準時刻信号のフルコード受信を行わせ、当該フルコード受信の結果に基づいて前記内部時計が計時する時刻情報を修正する
請求項１から３のいずれか一に記載の電波修正時計。
【請求項５】
前記内部時計により計時される時刻情報を表示する表示手段を有し、
前記制御手段は、前記内部時計の時刻情報の修正時に、前記修正された時刻情報に応じて前記表示手段による表示時刻を修正する
請求項１から４のいずれか一に記載の電波修正時計。
【請求項６】
前記標準時刻信号のうち、時情報、年情報、月情報、日情報、サマータイム情報、または停波情報のいずれかの時刻情報を前記標準電波受信手段に受信させる受信設定を行う設定手段を有し、
前記制御手段は、前記設定された時刻になった場合に、前記設定手段により設定された情報を前記標準電波受信手段に受信させる受信タイミング制御を行い、前記標準電波受信手段により受信された時刻情報に応じて前記内部時計が計時する時刻情報を修正する
請求項１から５のいずれか一に記載の電波修正時計。
【発明の詳細な説明】
【技術分野】
【０００１】
本発明は、たとえば、時報信号を含む放送波と、標準時刻信号を含む標準電波信号を受信して時刻修正を行う電波修正時計に関するものである。
【背景技術】
【０００２】
たとえば、標準電波送信局（ＪＪＹ）から送信される標準電波信号に含まれる標準時刻信号を受信して、時刻修正を行う電波修正時計が知られている（たとえば、特許文献１参照）。
この標準時刻信号は、１分毎に分情報、時情報、年月日情報、曜日情報、サマータイム情報等の時刻コードがパルス信号として符号化されており、またパルス信号のレベルの切り替り点が標準時刻に秒同期している。
【特許文献１】特開平５−１５７８５９号公報
【発明の開示】
【発明が解決しようとする課題】
【０００３】
一般的な電波修正時計は、受信状態が良好な場合に、標準電波信号から適正に標準時刻信号を抽出し、その抽出した時刻信号に基づいて時刻修正を行う。
【０００４】
しかし、標準電波送信局から送信される標準時刻信号を含む標準電波は、周波数が４０ｋＨｚや６０ｋＨｚ程度であり送信出力が数１０ｋＷである。このため電波修正時計の設置場所により受信状態が良好でない場合がある。
受信状態は、たとえば設置場所と送信局間の距離により変化し、また郊外や都市部等の設置場所、設置場所の建物の構造、設置場所の窓際からの距離、設置場所でのノイズ発生源からのノイズの影響等により変化する。
また、標準時刻信号に含まれる全ての時刻情報を適正に受信するのに約数分間必要であり、消費電力が比較的大きい。
【０００５】
ところで、たとえば、時報信号を含むＡＭラジオ放送等を受信して時刻修正を行う時計も知られている。
しかし、上述した時計では、毎正時に時報信号に基づいて秒情報や分情報を修正するが、時報信号からはそれ以外の情報、たとえば時情報や年情報、月情報、日情報、サマータイム情報等に関する情報を得ることができず、それらの情報を修正することができない。
【０００６】
本発明は、かかる事情に鑑みてなされたものであり、その目的は、標準時刻信号の受信状態がよくない場合であっても時刻修正を行うことができ、消費電力を低減することができる電波修正時計を提供することにある。
また、他の本発明の目的は、時報信号により修正できる秒情報や分情報以外の時刻情報も修正することができる電波修正時計を提供することにある。
【課題を解決するための手段】
【０００７】
前記目的を達成するために、本発明の電波修正時計は、内部時計と、所定時刻に時報信号を含む放送波を受信する放送波受信手段と、標準時刻信号を含む標準電波信号を受信する標準電波受信手段と、前記放送波受信手段により受信される時報信号に基づいて前記内部時計が計時する時刻情報を修正し、設定された時刻になった場合に、前記標準時刻信号のうち前記時報信号により修正できる秒情報および分情報以外の、予め設定された受信対象の時刻情報を、前記標準電波受信手段に受信させる受信タイミング制御を行い、前記標準電波受信手段により受信された時刻情報に応じて前記内部時計が計時する時刻情報を修正する制御手段とを有する。
【０００８】
好適には、前記制御手段は、前記設定された時刻になった場合に、前記標準時刻信号のうち、時情報、年情報、月情報、日情報、サマータイム情報、および停波情報のいずれかの時刻情報を前記標準電波受信手段に受信させる受信タイミング制御を行い、前記標準電波受信手段により受信された時刻情報に応じて前記内部時計が計時する時刻情報を修正する。
【０００９】
また、好適には、前記制御手段は、初期時に入力された時刻情報に基づいて前記内部時計が計時する時刻情報を設定する。
【００１０】
また、好適には、前記標準電波受信手段に前記標準時刻信号のフルコード受信を行わせるためのスイッチを有し、前記制御手段は、前記リセットスイッチが操作された場合に、前記標準電波受信手段に前記標準時刻信号のフルコード受信を行わせ、当該フルコード受信の結果に基づいて前記内部時計が計時する時刻情報を修正する。
【００１１】
また、好適には、前記内部時計により計時される時刻情報を表示する表示手段を有し、前記制御手段は、前記内部時計の時刻情報の修正時に、前記修正された時刻情報に応じて前記表示手段による表示時刻を修正する。
【００１２】
また、好適には、前記標準時刻信号のうち、時情報、年情報、月情報、日情報、サマータイム情報、または停波情報のいずれかの時刻情報を前記標準電波受信手段に受信させる受信設定を行う設定手段を有し、前記制御手段は、前記設定された時刻になった場合に、前記設定手段により設定された情報を前記標準電波受信手段に受信させる受信タイミング制御を行い、前記標準電波受信手段により受信された時刻情報に応じて前記内部時計が計時する時刻情報を修正する。
【発明の効果】
【００１３】
本発明によれば、標準時刻信号の受信状態がよくない場合であっても時刻修正を行うことができ、消費電力を低減することができる電波修正時計を提供することができる。
また、本発明によれば、時報信号により修正可能な秒情報や分情報以外の情報も修正することができる電波修正時計を提供することができる。
【発明を実施するための最良の形態】
【００１４】
以下、本発明の実施の形態を添付図面に関連付けて説明する。
【００１５】
本実施形態に係る電波修正時計は、所定時刻、たとえば毎正時付近に時報信号を含む放送波を受信して、その時報情報に基づいて内部時計が計時する時刻情報、たとえば秒情報や分情報を修正し、設定された時刻になった場合に、標準時刻信号のうち時報信号により修正できる秒情報および分情報以外の、予め設定された受信対象の時刻情報、たとえば時情報や、年情報、月情報、日情報、サマータイム情報、停波情報等の時刻情報を受信させる受信タイミング制御を行い、その受信タイミング制御により標準電波受信部により受信された時刻情報に応じて内部時計が計時する時刻情報を修正して、表示時刻を修正する。
【００１６】
たとえば本実施形態では放送電波として、時報情報を含むＡＭラジオ放送電波を用いる。ＡＭラジオ放送に含まれる時報情報を採用する利点は、何点かある。
１．全国に複数の送信局が設置されている。
２．ＡＭラジオ放送電波の送信出力は、標準電波送信局の送信出力よりも大きい。
【００１７】
たとえばＡＭラジオ放送局は、都市部近郊から比較的大きな送信出力でＡＭラジオ放送を行っている。
たとえば札幌、東京、大阪、福岡等の都市部近郊には、表１に示すようにＡＭラジオ放送局が設置されている。札幌市、東京都、大阪府、福岡市等の都市部から５０ｋｍ以内にラジオ放送局が設けられている。
たとえば埼玉県南埼玉郡菖蒲町から東京ＮＨＫ第１放送、周波数５９４ｋＨｚ、送信出力３００ｋＷでＡＭラジオ放送電波が出力されている。大阪府南河内郡美原町丹上から大阪ＮＨＫ第１放送、周波数６６６ｋＨｚ、送信出力１００ｋＷでＡＭラジオ放送電波が出力されている。
【００１８】
【表１】
2006112937.tif 000003
【００１９】
３．ラジオ放送が行われている周波数帯のノイズに関する規格が規定されている。
多くの家庭電化製品等の電子装置は、この規格を満たすように設計されているために、それらの電子装置から出力されるノイズ強度が小さい。このためにＡＭラジオ放送の受信環境がよい。
【００２０】
また、ＡＭラジオ放送電波は中波放送帯で５２５ｋＨｚから１６０５ｋＨｚであり、標準電波は数１０ｋＨｚであり、同一のフェライトバーアンテナを用いてそれぞれの電波を受信することができ、アンテナを共通化できる。また変調方式もＡＭ変調で同じである。したがって、以下に示す実施形態においては、ＡＭラジオ放送と、標準時刻電波信号の復調部を一部共通化している。
以下、本実施形態に係る電波修正時計を、図面に関連付けて詳細に説明する。
【００２１】
図１は、本発明に係る電波修正時計の一実施形態を示すブロック図である。図２は、図１に示した電波修正時計における電波受信系の具体的な構成例を示す回路図である。図３は、図１に示した電波修正時計の輪列部を含む平面図、図４は、図３に示した電波修正時計の断面図である。
【００２２】
本実施形態に係る電波修正時計１は、図１および図２に示すように、電波受信系１１、リセットスイッチ１２、発振回路１３、制御回路１４、ドライブ回路１５、発光素子１６、バッファ回路１７、ドライブ回路１８、表示部２０、ディスプレイ３０、秒針用モータ１２１、時分針用モータ１３１、光検出センサ部１４０、手動修正系１５０、トランジスタＱ１，Ｑ２、および抵抗素子Ｒ１〜Ｒ４を有する。
【００２３】
リセットスイッチ１２は本発明に係る操作スイッチの一例に相当する。制御回路１４は本発明に係る制御手段の一例に相当する。表示部２０やディスプレイ３０は、本発明に係る表示手段の一例に相当する。
【００２４】
また、本実施形態においては、アナログ式の指針による時刻表示を行うために、表示部２０が、ドライブ回路１５、発光素子１６、バッファ回路１７、ドライブ回路１８、ディスプレイ３０、秒針用モータ１２１、時分針用モータ１３１、光検出センサ部１４０、手動修正系１５０、トランジスタＱ１，Ｑ２、および抵抗素子Ｒ１〜Ｒ４により構成されている。また、このアナログ表示部２０に加えて、液晶等のデジタル式の時刻表示装置を設けてもよい。
【００２５】
電波受信系１１は、たとえば不図示の標準電波送信所から送信された標準時刻情報（時刻コードとも言う）を含む標準電波（標準時刻電波信号とも言う）を受信し、所定の処理を行い信号Ｓ１１３０として制御回路１４に出力する。
また、電波受信系１１は、たとえばＡＭラジオ放送局から送信された時報情報を含むラジオ放送電波を受信し、所定の処理を行い信号Ｓ１１６０として制御回路１４に出力する。
【００２６】
電波受信系１１は、具体的には、図２に示すように、フェライトバーアンテナ１１１０、標準電波周波数切替部１１２０、標準電波（長波）受信回路１１３０、ラジオ放送周波数切替部１１４０、ＡＭラジオ受信回路１１５０、およびフィルタ部１１６０を有する。
【００２７】
標準電波周波数切替部１１２０、および標準電波受信回路１１３０は、本発明に係る標準電波受信手段の一例に相当する。
ラジオ放送周波数切替部１１４０、ＡＭラジオ受信回路１１５０、およびフィルタ部１１６０は、本発明に係る放送電波受信手段の一例に相当する。
【００２８】
フェライトバーアンテナ１１１０は、標準時刻電波信号およびＡＭラジオ放送電波を受信する。前述したように、標準時刻電波信号およびＡＭラジオ放送電波は比較的波長が長く、フェライトバーアンテナ１１１０により受信可能である。
【００２９】
フェライトバーアンテナ１１１０は、フェライトバー１１１１、コイル部Ｌ１１１１、およびコイル部Ｌ１１１２を有する。
本実施形態では、たとえば図２に示すように、フェライトバー１１１１の両端にコイル部Ｌ１１１１、およびコイル部Ｌ１１１２が設けられている。
【００３０】
標準電波周波数切替部１１２０は、たとえば制御回路１４から出力された標準電波の受信周波数、本実施形態ではたとえば４０ｋＨｚと６０ｋＨｚを切り替えさせる制御信号ＣＴＬ１１２３に基づいて標準電波の受信周波数を切り替える。
詳細には、たとえば標準電波周波数切替部１１２０は、キャパシタ１１２１、キャパシタ１１２２、およびスイッチ１１２３を有する。
直列接続されたキャパシタ１１２２およびスイッチ１１２３は、キャパシタ１１２１とフェライトバーアンテナ１１１０に巻きつけられたコイル部Ｌ１１１１とに並列に接続されている。
また、キャパシタ１１２１の一端、コイル部Ｌ１１１１の一端、スイッチ１１２３の端子Ｔｂは基準電位ＧＮＤに接続されている。スイッチ１１２３の端子Ｔａにはキャパシタ１１２２の一端が接続されている。
キャパシタ１１２１の他端、コイル部Ｌ１１１１の他端、キャパシタ１１２２の他端は共通に接続され、また標準電波受信回路１１３０の入力端に接続されている。
【００３１】
スイッチ１１２３は、制御信号ＣＴＬ１１２３に基づいて端子Ｔａと端子Ｔｂを導通または非導通状態に設定する。
詳細にはたとえば、６０ｋＨｚの標準時刻電波信号を受信する場合には、制御回路１４から端子Ｔａと端子Ｔｂを非導通状態に設定させる制御信号ＣＴＬ１１２３が出力されると、スイッチ１１２３は、キャパシタ１１２２とコイル部Ｌ１１１１を非導通状態に設定することにより、コイル部Ｌ１１１１およびキャパシタ１１２１により共振回路を形成させ、共振周波数を６０ｋＨｚに設定する。
【００３２】
一方、４０ｋＨｚの標準時刻電波信号を受信する場合には、制御回路１４から端子Ｔａと端子Ｔｂを導通状態に設定させる制御信号ＣＴＬ１１２３が出力される。これにより、スイッチ１１２３は、端子Ｔａと端子Ｔｂを導通状態に設定することにより、キャパシタ１１２１、キャパシタ１１２２、およびコイル部Ｌ１１１１とが並列接続した共振回路を形成させ、たとえば共振周波数を６０ｋＨｚより低い４０ｋＨｚに設定する。
【００３３】
標準電波受信回路１１３０は、たとえばフェライトバーアンテナ１１１０および標準電波周波数切替部１１２０を介して入力された標準時刻電波信号Ｓ１１２０のデコードを行い、標準時刻信号を信号Ｓ１１３０として制御回路１４に出力する。
詳細には、標準電波受信回路１１３０は、たとえば不図示のＲＦアンプ、検波回路、波形整形回路を有し、増幅処理、検波処理、波形整形処理等を行い、処理結果の標準時刻信号を信号Ｓ１１３０として出力する。制御回路１４は標準時刻信号に基づいて時刻修正を行う。
【００３４】
また、たとえば標準電波受信回路１１３０は、制御回路１４から出力された、標準時刻電波信号の受信オン状態または受信オフ状態を制御させる制御信号ＣＴＬ１１３０に基づいて、標準時刻電波信号の受信オン状態または受信オフ状態を制御する。
【００３５】
なお、日本の標準電波は独立行政法人通信研究機構（ＮＩＣＴ）のもとで運用されており、周波数４０ｋＨｚの標準電波を送信する標準電波送信所および周波数６０ｋＨｚの標準電波を送信する標準電波送信所が設けられている。
電波受信系１１で受信される標準電波は、図５（ａ）に示すような形態で送られてくる。
【００３６】
具体的には、時刻コードは１，０，Ｐの３種類の信号パターンからなり、１秒（ｓｅｃ）の１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００３７】
そして、受信状態が良好な場合には、電波受信系１１からは図５（ｂ）に示すように、標準電波信号に応じたパルス信号として信号Ｓ１１３０が、制御回路１４に出力される。
【００３８】
この信号Ｓ１１３０は、たとえば第１のレベルに相当するハイレベルと、第２のレベルに相当するローレベルにより構成されている。制御回路１４は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００３９】
次に、長波標準電波の送信データについて説明する。
図６は、標準時刻電波信号の時刻コードの一例を示している。図６（ａ）は毎時１５，４５分以外のフォーマット、図６（ｂ）は、毎時１５分，４５分のフォーマットを示す。送信情報は、分情報・時情報・１月１日からの積算日情報、サマータイム情報（ＳＵ１，ＳＵ２）、年情報、曜日情報、うるう秒情報（ＬＳ１，ＬＳ２）、停波情報（ＳＴ１〜ＳＴ６）となっている。
【００４０】
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００４１】
たとえば詳細には、時刻データの送信は、毎時１５分および４５分以外の時間の場合に図６（ａ）に示すように、分情報は１秒目から９秒目、時情報は１２秒目から１９秒目、積算日情報（日情報）は２２秒目から３４秒目、サマータイム情報は３８秒目および４０秒目、年情報は４１秒目から４９秒目、曜日情報は５０秒目から５３秒目、うるう秒情報は５３秒目および５４秒目に送信される。
また、毎時１５分および４５分の場合に、時刻データの送信は、たとえば図６（ｂ）に示すように、分情報は１秒目から９秒目、時情報は１２秒目から１９秒目、積算日情報（日情報）は２２秒目から３４秒目、停波情報は５０秒目か５６秒目に送信される。
【００４２】
なお、秒信号については、電波信号のパルス信号のレベルの立ち上がりとし、パルス信号の立ち上がりの５５％（１０％値と１００％値の中央）が標準時刻の１秒信号に同期する。
【００４３】
ラジオ放送周波数切替部１１４０は、たとえば制御回路１４から出力されたラジオ放送電波の受信周波数、本実施形態ではたとえば東京ＮＨＫ第１放送ＪＯＡＫの５９４ｋＨｚと、大阪ＮＨＫ第１放送ＪＯＢＫの６６６ｋＨｚを切り替えさせる制御信号ＣＴＬ１１４３に基づいてラジオ放送電波の受信周波数を切り替える。
詳細には、たとえばラジオ放送周波数切替部１１４０は、キャパシタ１１４１、キャパシタ１１４２、およびスイッチ１１４３を有する。
直列接続されたキャパシタ１１４２およびスイッチ１１４３は、キャパシタ１１４１とフェライトバーアンテナ１１１０に巻きつけられたコイル部Ｌ１１１２とに並列に接続されている。
また、キャパシタ１１４１の一端、コイル部Ｌ１１１２の一端、キャパシタ１１４２の一端は、基準電位ＧＮＤに接続されている。キャパシタ１１４２の他端は端子Ｔｃに接続されている。
キャパシタ１１４１の他端、コイル部Ｌ１１１２の他端、端子Ｔｄは共通に接続され、またＡＭラジオ受信回路１１５０の入力端に接続されている。
【００４４】
スイッチ１１４３は、制御信号ＣＴＬ１１４３に基づいて端子Ｔｃと端子Ｔｄを導通状態または非導通状態に設定する。
詳細には大阪ＮＨＫ第１放送ＪＯＢＫのラジオ放送電波を受信する場合には、端子Ｔｃと端子Ｔｄを非導通状態に設定させる制御信号ＣＴＬ１１４３が制御回路１４から出力される。これにより、スイッチ１１４３は、キャパシタ１１４２とコイル部Ｌ１１１２を非導通状態に設定させることにより、たとえばコイル部Ｌ１１１２とキャパシタ１１４１により共振回路を形成させ、共振周波数を６６６ｋＨｚに設定する。
【００４５】
一方、たとえば東京ＮＨＫ第１放送ＪＯＡＫのラジオ放送電波を受信する場合には、制御回路１４から端子Ｔｃと端子Ｔｄを導通状態に設定させる制御信号ＣＴＬ１１４３が出力される。これにより、スイッチ１１４３は、端子Ｔｃと端子Ｔｄを導通状態に設定することにより、キャパシタ１１４１、キャパシタ１１４２、およびコイル部Ｌ１１１２とが並列接続した共振回路を形成させ、共振周波数を６６６ｋＨｚより低い５９４ｋＨｚに設定する。
【００４６】
ＡＭラジオ受信回路１１５０は、たとえばフェライトバーアンテナ１１１０およびラジオ放送周波数切替部１１４０を介して入力されたラジオ放送電波を復調し、ＡＭラジオ放送電波に含まれる時報情報を抽出し、信号Ｓ１１５０としてフィルタ部１１６０に出力する。
また、ＡＭラジオ受信回路１１５０は、たとえば制御回路１４から出力されたラジオ放送の受信オン状態また受信オフ状態を制御させる制御信号ＣＴＬ１１５０に基づいて、ラジオ放送電波の復調等の受信動作の受信オン状態また受信オフ状態を制御する。
【００４７】
図７は、図２に示したＡＭラジオ受信回路の一具体例を示す機能ブロック図である。
たとえばＡＭラジオ受信回路１１５０は、図７に示すように、アンプ１１５１、水晶フィルタ部１１５２、および検波回路１１５３を有する。
アンプ１１５１は、たとえばフェライトバーアンテナ１１１０およびラジオ放送周波数切替部１１４０から出力された信号Ｓ１１４０を増幅して信号Ｓ１１５１として水晶フィルタ部１１５２に出力する。
【００４８】
図８は、一般的なＡＭラジオ放送電波に毎正時付近に含まれる時報情報の一具体例を示す図である。
たとえば、ラジオ放送局から送信されるＡＭラジオ放送電波には、毎正時（００分００秒）付近に図８に示すような時報情報が含まれている。詳細にはたとえば５７秒，５８，５９秒に周波数４４０Ｈｚのパルス信号ｐがＡＭ変調され、毎正時（００分００秒）には予め設定された周波数、たとえば８８０Ｈｚの正時信号（減衰信号）ｄがＡＭ変調されている。たとえばパルス信号ｐおよび減衰信号ｄの立ち上がり時間Ｔ５７，Ｔ５８，Ｔ５９，Ｔ００それぞれが、秒同期している。
【００４９】
図９は、図８に示した毎正時付近に時報情報を含むＡＭラジオ放送電波の周波数スペクトラムを説明するための図である。
時報情報を含むＡＭラジオ放送電波は、図８に示したパルス信号ｐおよび減衰信号ｄを含む場合には、たとえば図９に示すように、搬送波ｆ０を中心に、周波数（ｆ０＋ｆ１）および周波数（ｆ０ーｆ１）に線形状の周波数スペクトラムを有する。
【００５０】
フィルタ部１１５２は、放送電波を基に所定の周波数の正時信号を抽出する。本実施形態ではフィルタ部１１５２として水晶フィルタを用いた例を示す。
詳細には、水晶フィルタ部１１５２は、たとえば図７に示すように、第１水晶フィルタ部１１５２１および第２水晶フィルタ１１５２２部を有する。
水晶フィルタ部１１５２は、たとえば図９に示すように、アンプ１１５１から出力された信号Ｓ１１５１に基づいて、周波数（ｆ０＋ｆ１）または周波数（ｆ０ーｆ１）成分のみの信号Ｓ１１５２を出力する。
【００５１】
具体的には、東京と大阪のＮＨＫ第１放送の時報信号の周波数で８８０Ｈｚを検出する場合には、水晶フィルタ部１１５２には、第１水晶フィルタ部１１５２１として５９３．１２０ｋＨｚ、第２水晶フィルタ部１１５２２として６６５．１２０ｋＨｚのみを通過させるフィルタを設ける。
【００５２】
検波回路１１５３は、水晶フィルタ部１１５２から出力された信号Ｓ１１５２を基に、周波数４４０Ｈｚまた周波数８８０Ｈｚの信号をＡＭ検波して信号Ｓ１１５０を出力する。検波回路１１５３のＡＭ検波は一般的に用いられる検波方式、たとえば２乗検波、包絡線検波等により検波を行う。
【００５３】
フィルタ部１１６０は、検波回路１１５３から出力された信号Ｓ１１５０を基に時報情報のみを抽出し、信号Ｓ１１６０として制御回路１４に出力する。
【００５４】
なお、ヘテロダイン検波方式を採用した場合、ラジオ受信回路１１５０は、図１０に示すように、アンプ１１５４、局部発振回路１１５５、周波数変換回路１１５６、水晶フィルタ部１１５７、および検波回路１１５８により構成される。
ラジオ受信回路１１５０にヘテロダイン検波方式を採用した場合、局部発振回路１１５５の出力する局部発振信号Ｓ１１５５の周波数を変えることにより異なる入力周波数を同一周波数の中間周波数ｆｉに変化させることができる。その結果、図１１に示すように、水晶の通過周波数を（ｆｉ−ｆ1 ）、または、（ｆｉ＋ｆ1 ）となる。
具体的には、東京と大阪のＮＨＫ第１放送を受信する場合、中間周波数ｆｉを４５５ｋＨｚとすると、周波数変換のための局部発振周波数は（ｆｉ＋ｆ1 ）に設定されるので、東京のＮＨＫ第１放送の場合、局部発振周波数は１０４９ｋＨｚとなり、大阪のＮＨＫ第１放送の場合、１１２１ｋＨｚとなる。これにより、共に同一の４５５ｋＨｚに変換されることから、１種類の４５４．１２ｋＨｚまたは４５５．８８０ｋＨｚのみを通過させる水晶フィルタを用いれば良い。
【００５５】
リセットスイッチ１２は、たとえば、標準電波受信回路１１３０に標準時刻信号のフルコード受信を行わせる際に操作され、操作に応じて信号Ｓ１２を制御回路１４に出力する。制御回路１４は、リセットスイッチ１２から信号Ｓ１２が入力されると時刻修正を行う。
【００５６】
発振回路１３は、水晶発振器ＣＲＹおよびキャパシタＣ２，Ｃ３により構成され、所定周波数の基本クロックを制御回路１４に供給する。
【００５７】
制御回路１４は、内部時計１４０１、およびメモリ１４０２を有する。
内部時計１４０１は、たとえばサマータイム情報カウンタ、年情報カウンタ、月情報カウンタ、日情報カウンタ、曜日情報カウンタ、時情報を計時する時カウンタ、分情報を計時する分カウンタ、および秒情報を計時する秒カウンタ等を含む。
【００５８】
メモリ１４０２は、たとえば、制御回路１４のワークスペースとして用いられる。たとえば、メモリ１４０２はＲＡＭ（Random access memory）等で構成される。
【００５９】
制御回路１４は、初期時に入力された時刻情報に基づいて内部時計１４０１が計時する時刻情報、たとえば年情報、月情報、日情報、曜日情報、時情報、分情報、および秒情報を設定し、内部時計１４０１が計時する時刻情報を基に、後述するように表示時刻の修正を行う。
【００６０】
この初期時の時刻情報の設定入力としては、たとえば制御回路１４は、標準電波受信回路１１３０に強制的に時刻情報を含む標準電波信号を受信させて、その時刻情報に基づいて内部時計１４０１により計時される時刻情報を修正してもよいし、不図示の入力部から入力された時刻情報に基づいて内部時計１４０１により計時される時刻情報を修正してもよい。
【００６１】
また、制御回路１４は、ＡＭラジオ受信回路１１５０で受信される時報信号に基づいて内部時計１４０１が計時する時刻情報を修正し、設定された時刻になった場合に、標準時刻信号のうち時報信号により修正できる秒情報および分情報以外の、予め設定された受信対象の時刻情報を、標準電波受信回路１１３０に受信させる受信タイミング制御を行い、標準電波受信回路１１３０により受信された時刻情報に応じて内部時計１４０１が計時する時刻情報を修正する。
【００６２】
制御回路１４は、たとえば内部時計１４０１が計時する時刻情報に基づいて、予め設定された時刻（設定時刻）に時刻修正動作を行う。この際、制御回路１４は、設定時刻になるとＡＭラジオ受信回路１１５０に放送電波を受信させ、抽出された時報情報を基に内部時計１４０１により計時される時刻情報、たとえば秒情報や分情報を時報情報に同期させるように時刻修正を行う。
【００６３】
制御回路１４は、ＡＭラジオ放送電波を受信する際に、受信タイミング制御を行う。
詳細には、制御回路１４は、受信タイミング制御として、たとえば内部時計１４０１が計時する時刻情報を基に毎正時を含む所定時間、たとえば毎正時の数１０秒前からＡＭラジオ放送電波を受信させる制御信号ＣＴＬ１１５０をＡＭラジオ受信回路１１５０に出力する。
通常、水晶時計は月差２０秒の精度なので、上述したようにラジオ放送電波の受信を開始すれば確実に時報情報を受信することができる。
【００６４】
また、制御回路１４は、たとえば、受信状態の良いほうのＡＭラジオ放送電波を受信させるように制御信号ＣＴＬ１１４３を出力して、ＡＭラジオ放送電波の受信周波数を設定する。
【００６５】
制御回路１４は、信号Ｓ１１６０を基に、たとえば周波数８８０Ｈｚの立ち上がりを検出し、その立ち上がり時間を毎正時（００分００秒）とする。この際、内部時計１４０１では標準時刻電波信号に基づいて時刻情報として年情報、月情報、日情報、時情報、分情報、秒情報が計時されており、制御回路１４は時報情報を基に秒情報や分情報を修正する。
【００６６】
また、制御回路１４は、設定された時刻に、前記標準時刻信号のうち時報信号により修正できる秒情報および分情報以外の時刻情報、たとえば、標準時刻信号のうち、時情報、年情報、月情報、日情報、サマータイム情報、および停波情報のいずれかの時刻情報を標準電波受信回路１１３０に受信させる受信タイミング制御を行い、標準電波受信回路１１３０により受信された時刻情報に応じて内部時計１４０１が計時する時刻情報を修正する。
【００６７】
設定された時刻は、たとえば月数回程度、標準電波の受信状態が良好な時間帯に受信する。詳細には、毎月１日午前２時１４分頃に標準電波信号のうち、時情報、年情報、月情報、日情報（積算日情報）等を受信して、内部時計１４０１による時刻情報を修正する。
こうすることで、時報情報により修正できる分情報や秒情報以外の時刻情報を修正することができる。
【００６８】
制御回路１４による受信タイミング制御を説明する。
たとえば図６（ａ），（ｂ）に示すように、標準時刻信号のうち、時情報、年情報、月情報、日情報、サマータイム情報、および停波情報等の時刻情報が送信されるタイミングは、予め規定されている。
【００６９】
このため、制御回路１４は、標準時刻信号のうち、予め設定された受信対象の時刻情報、たとえば時情報を受信したい場合には、内部時計１４０１により計時される時刻情報に基づいて、少なくとも１２秒目から１９秒目に標準時刻信号を受信させるように、標準電波受信回路１１３０の受信タイミング制御を行う。
【００７０】
また、制御回路１４は、設定された受信対象の時刻情報が積算日情報（日情報）の場合に２２秒目から３４秒目に受信させるように、標準電波受信回路１１３０の受信タイミング制御を行う。
【００７１】
また制御回路１４は、設定された受信対象の時刻情報がサマータイム情報の場合には、たとえば図６（ａ）に示すように、毎時１５分，４５分以外の時刻の３８秒目および４０秒目、年情報の場合には４１秒目から４９秒目、曜日情報の場合には５０秒目から５３秒目、うるう秒情報の場合には５３秒目および５４秒目を受信させるように、標準電波受信回路１１３０の受信タイミング制御を行う。
また、制御回路１４は、設定された受信対象の時刻情報が停波情報の場合には、たとえば図６（ｂ）に示すように、毎時１５分，４５分の５０秒目か５６秒目を受信させるように、標準電波受信回路１１３０の受信タイミング制御を行う。
【００７２】
標準時刻信号のうち受信対象の時刻情報は、出荷時に予め設定しておいてもよい。
また、たとえば制御回路１４は、不図示の入力部（設定手段）により入力された信号に基づいて、受信対象の時刻情報を設定し、たとえば図６（ａ），（ｂ）に示すように予め規定された標準時刻信号のうち各時刻信号と、送信タイミングを関連付けたテーブルに基づいて、入力された受信対象の時刻信号に対応する受信タイミングを決定し、その決定された受信タイミングに基づいて、標準電波受信回路１１３０の受信タイミング制御を行ってもよい。
【００７３】
制御回路１４は、受信周波数を切り替えさせる制御信号ＣＴＬ１１２３を出力して、標準電波周波数切替部１１２０に受信周波数を４０ｋＨｚまたは６０ｋＨｚに切り替えさせて、受信状態の良いほうの標準時刻電波信号を受信する。
【００７４】
以下、より詳細に制御回路１４の機能を説明する。
制御回路１４は、たとえば初期時やリセットスイッチ１２が操作された場合には、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００７５】
位相合わせ処理は、たとえば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００７６】
制御回路１４は、所定の時間、たとえば本実施形態では８秒間の標準時刻電波信号のサンプリング（たとえば３２Ｈｚ）を行い、そのサンプリングの結果に基づいて受信状態を判定する。
【００７７】
詳細には、制御回路１４は、たとえば電波受信系１１から入力される信号Ｓ１１３０のサンプリング（たとえば３２Ｈｚ）を行い、エッジｅｄを検出し、そのエッジｅｄの有無や数に基いて受信状態を判定する。
【００７８】
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００７９】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００８０】
制御回路１４は、電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００８１】
図１２は、図１に示した電波修正時計の正面図である。
ディスプレイ３０は、たとえば図１２に示すように、時計本体部１００の文字盤２０１の略中央の指針軸より下側（６時側）に設けられている。
ディスプレイ３０は、制御回路１４による制御により時刻情報、たとえば、秒情報、分情報、時情報、年情報、月情報、日情報、曜日情報、サマータイム情報、停波情報等をデジタル方式により表示可能である。
発光素子１６は、たとえば図５に示すように、文字盤２０１下側である６時表示部の近傍に設けられている。
また、明暗検出手段としてのＣｄＳセンサ部１４０は、たとえば図１２に示すように、文字盤２０１の５時表示部の近傍に設けられている。また、図１２に示すように、時計本体部１００には、秒針２０２、分針２０３、および時針２０４が設けられている。
【００８２】
次に、電波修正時計のムーブメントおよび指針位置検出系の具体的な構成について、図３，４、図１３〜図２３に関連付けて説明する。
時計本体部１００は、図３および図４に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【００８３】
時計本体部１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ部１４０、手動修正系１５０等が固定あるいは軸支されている。
【００８４】
第１駆動系１２０は、図３に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１ｄに大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００８５】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｄ）と噛合して、ロータ１２１ｃの回転速度を所定速度に減速させる。この第１の５番車１２２には、図１３に示すように、秒針車１２３と重なる領域において周方向に等間隔（中心角α１が１２０°）で配置された３個の円形状をなす透孔１２２ｃが形成されている。この透孔１２２ｃは、光検出センサ部１４０の検出光を通過させるだけでなく、少なくともその１つは、第１の５番車１２２を組付ける際の位置決め孔（度決め孔）として用いられるものである。
【００８６】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図１６に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００８７】
透孔１２３ｃは、光検出センサ部１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００８８】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００８９】
秒針車１２３においては、図１６に示すように、複数（１１個）の透孔１２３ｃを設ける代わりに、図１７に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００９０】
第２駆動系１３０は、図３、図４、および図１４に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
【００９１】
ここで、時分針用ステッピングモータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００９２】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００９３】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１８に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ部１４０の検出光を通過させるだけでなく、少なくともその１つは、３番車１３３を組付ける際の位置決め孔（度決め孔）として用いられるものである。
【００９４】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００９５】
また、分針車１３４には、図１９に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００９６】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００９７】
時針車１３６は、図４に示すように、大径歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００９８】
また、時針車１３６には、図２０に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００９９】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【０１００】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【０１０１】
光検出センサ部１４０は、図４に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からローレベルのドライブ信号ＤＲ２が出力されたとき発光するようにドライブ回路１８に接続されている。
【０１０２】
また、図４に示すように、断面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【０１０３】
さらに、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【０１０４】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【０１０５】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行うことができる。
【０１０６】
手動修正系１５０は、図３および図４に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【０１０７】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【０１０８】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【０１０９】
分針車１３４の分針パイプ１３４ｐの先端部および時針車１３６の時針パイプ１３６ｐの先端部には、図２１に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻たとえば１２時００分を指すように設定されている。
【０１１０】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【０１１１】
図２２は、図１に示した電波修正時計の指針位置検出処理の動作を示すフローチャートである。
制御回路１４は、指針駆動系を駆動して基準位置検出手段の検出処理に基づいて指針車の基準位置を検出した後、電波受信系１１のフェライトバーアンテナ１１０１および標準電波受信回路１１３０で受信した標準時刻電波信号に基づいて内部時計１４０１の計時時刻を修正し、内部時計１４０１の計時時刻に基づいて指針車の指針位置を設定する。
図２２を参照しながら指針位置検出処理を説明する。
【０１１２】
制御回路１４から時分用パルス信号出力パターンがセットされ（ＳＴ１０１）、ドライブ信号ＤＲ２がドライブ回路１８にローレベルで出力される。これにより、トランジスタＱ２がオンし、発光素子１４２、すなわち発光ダイオードから検出光が発せられる。
【０１１３】
続いて、制御回路１４から制御信号ＣＴＬ１が出力されて秒針用ステッピングモータ１２１がパルス駆動され（ＳＴ１０２）、受光素子１４４すなわちフォトトランジスタがオンし、検出信号ＤＴ１がハイレベル（電源電圧Ｖccレベル）からローレベルに切り換わったか否かの判別が行われる（ＳＴ１０３）。
【０１１４】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖccレベル）からローレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖccレベル）からローレベルに切り換わらない場合には、時分針用ステッピングモータ１３１が１ステップ（パルス）駆動され（ＳＴ１０７）、その後再び秒針用ステッピングモータ１２１がステップ駆動され（ＳＴ１０２）て、秒針車１２３が回転駆動される。
【０１１５】
一方、ステップＳＴ１０３において、フォトトランジスタによる検出信号ＤＴ１がハイレベルからローレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【０１１６】
一方、得られた出力パターンと記憶された出力パターンとが適合した場合には、その時点（５ステップ目でもフォトトランジスタにより検出信号ＤＴ１のレベルがローレベルに切り換わらない場合において次にフォトトランジスタの出力がローレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻たとえば正時（０秒）の位置に修正され、秒針の原点検索処理が終了する。
【０１１７】
続いて、制御回路１４から制御信号ＣＴＬ２が出力されて時分針用ステッピングモータ１３１のみが所定の出力周波数でパルス駆動されて分針車１３４が早送りされる（ＳＴ１１１）。
【０１１８】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【０１１９】
一方、ステップＳＴ１１２の比較の結果、得られた出力パターンと記憶された出力パターンとが適合した場合は、その時点で、制御信号ＣＴＬ２の出力が停止され、時分針用ステッピングモータ１３１が停止されて、分針車１３４および時針車１３６の駆動が停止される（ＳＴ１１３）。
【０１２０】
ここで、出力パターンと予め記憶された出力パターンとの比較による時分針車の位置検出処理は、３種類のパターンのいずれかに合わせることにより行われる。
【０１２１】
図２３（ａ）〜（ｃ）は、図１に示した電波修正時計の検出光の出力パターンを説明するための図である。
すなわち、分針車１３４によるフォトトランジスタの出力パターンは、図２３（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２３（ｂ）に示すように、遮光部が作用するオフの幅が３種類のＤ部、Ｅ部、Ｃ部が所定間隔をおいて交互に現れるようなパターンとなり、両者を合成した出力パターンは、図２３（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２３に示すパターンのうちオンとなるパターンの部分は、実際には３番車１３３の遮光部によりオフとなる部分があるので、歯抜け状のパターンとなっている。
【０１２２】
また、たとえば分針車１３４および時針車１３６の基準位置として、図２３（ａ）〜（ｃ）に示すように、０時００分、４時００分、および８時００分の位置に設定されている。
【０１２３】
Ｄ部，Ｂ部およびＡ部の組み合わせからなるパターンが確認されたときをたとえば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用ステッピングモータ１３１を停止させることで、分針車１３４および時針車１３６すなわち分針および時針を所定の時刻に時刻修正することができる。
【０１２４】
そして、時分針用ステッピングモータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【０１２５】
また、剣付けモードの際に、時分針車の原点検索処理が短くなるような出荷位置ＴＳ、本実施形態では１０時３０分に設定する場合を図２３（ａ）〜（ｃ）を参照しながら説明する。
たとえばユーザが外部電源２０１を投入すると、制御回路１４は、位相合わせ処理、秒針原点検索処理、分針原点検索処理、および時刻合わせ処理を行う。出荷位置ＴＳとして１０時３０分に設定した場合、図２３（ａ）〜（ｃ）に示したように、出荷位置ＴＳから秒針車および時分針車を駆動させて検出光を貫通させた後、時分針を止めて秒針原点検索を行う。その後時分針車を回転させて、光検出センサ部１４０でＣ部を検出することで、略１２時の位置であることを検出し、Ｂ部およびＡ部を検出した時点で停止させることにより、時分針が所定の基準位置１２時００分に設定される。
【０１２６】
たとえば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【０１２７】
図２４は、図１に示した電波修正時計の全体の動作を説明するためのフローチャートである。図２４を参照しながら、電波修正時計１の全体の動作を、制御回路１４の動作を中心に説明する。
【０１２８】
たとえば、４０ｋＨｚまたは６０ｋＨｚの標準時刻電波信号と、２局のＡＭラジオ放送局、たとえば東京ＮＨＫ第１放送ＪＯＡＫまたは大阪ＮＨＫ第１放送ＪＯＢＫを受信するように設定されているとする。
また、標準時刻信号のうち、時報情報により修正できる分情報や秒情報以外の受信対象の時刻情報として時情報が設定されている。
【０１２９】
ステップＳＴ２０１において、初期時に制御回路１４は、時刻情報が入力されると、その時刻情報に基づいて内部時計１４０１により計時される時刻情報を修正する（ＳＴ２０２）。
この際、内部時計１４０１に、時刻情報として年情報、月情報、日情報、曜日情報、時情報、分情報、秒情報、サマータイム情報等が設定される。
ステップＳＴ２０３において、制御回路１４は、内部時計１４０１が計時する標準時刻情報に基づいて表示部２０、たとえば上述したように秒針駆動系１２０、分針駆動系１３０を駆動させて指針による表示時刻を修正し、ディスプレイ３０の表示時刻を修正する。
【０１３０】
この初期時の動作は、標準電波受信回路１１３０により強制受信された標準時刻信号により時刻修正を行ってもよいし、不図示の入力部から入力された時刻情報に基づいて、時刻修正を行ってもよい。
【０１３１】
ステップＳＴ２０４において、制御回路１４は、内部時計１４０１が計時する時刻情報に基づいて、予め設定された時刻、たとえば毎正時の設定時刻前、具体的には毎正時ので数十秒前であるか否かが判別される。制御回路１４は、たとえば設定時刻でないと判別した場合には、表示部２０やディスプレイ３０による表示時刻を内部時計１４０１による時刻情報に基づいて更新し、ステップＳＴ２０９の処理に進む。
【０１３２】
一方、ステップＳＴ２０４の判別において、設定時刻であると判別した場合には、制御回路１４は、内部時計１４０１が計時する時刻情報に基づいてＡＭラジオ放送電波を受信するタイミング制御を行う（ＳＴ２０５）。
詳細には、制御回路１４は、受信タイミング制御として、たとえば内部時計１４０１が計時する時刻情報を基に毎正時を含む所定時間、たとえば毎正時の数１０秒前からＡＭラジオ放送電波を受信させる制御信号ＣＴＬ１１５０をＡＭラジオ受信回路１１５０に出力する。
通常、水晶時計は月差数１０秒の精度なので、上述したようにラジオ放送電波の受信を開始すれば確実に時報情報を受信することができる。
【０１３３】
本実施形態では、２つの周波数のＡＭラジオ放送電波を選択して受信できるので、制御回路１４は、受信状態の良いほうのＡＭラジオ放送電波を受信させるように制御信号ＣＴＬ１１４３を出力して、ＡＭラジオ放送電波の受信周波数を設定する。
【０１３４】
ＡＭラジオ受信回路１１５０は、制御回路１４から受信オン状態を示す制御信号ＣＴＬ１１５０が入力されると、フェライトバーアンテナ１１１０で受信されたＡＭラジオ放送電波を基にアンプ１１５１で増幅し、水晶フィルタ部１１５２でフィルタリングを行い、検波回路１１５３で検波を行い、信号Ｓ１１５０を出力する。フィルタ部１１６０は信号Ｓ１１５０を基に時報情報のみを信号Ｓ１１６０として制御回路１４に出力する（ＳＴ２０６）。
【０１３５】
この際、ＡＭラジオ放送電波と、標準時刻電波信号の周波数は、１０倍程度差があるのでフェライトバーアンテナ１１１０で共通に受信したとしても略無干渉である。
【０１３６】
ステップＳＴ２０８において、制御回路１４は、信号Ｓ１１６０を基に、たとえば周波数８８０Ｈｚの立ち上がりを検出し、その立ち上がり時間を毎正時（００分００秒）とする。この際、内部時計１４０１により計時されている時刻情報のうち、秒情報や分情報を修正する（ＳＴ２０７）。
【０１３７】
ステップＳＴ２０８において、制御回路１４は、内部時計１４０１が計時する時刻情報を基に、秒針駆動系１２０を駆動して、表示時刻を修正する。また、制御回路１４は、ディスプレイ３０による表示時刻を修正し、ステップＳＴ２０９の処理に進む。
【０１３８】
ステップＳＴ２０９において、制御回路１４は、予め設定された時刻、たとえば毎月１日午前２時１４分頃であるか否かが判断され、設定時刻でないと判別された場合に、ステップＳＴ２１４の処理に進む。
【０１３９】
一方、ステップＳＴ２０９の判別において、設定時刻であると判別された場合に、制御回路１４は、標準時刻信号のうち設定された受信対象の時刻コード（時刻信号）に基づいて、標準電波受信回路１１３０の受信タイミング制御を行う（ＳＴ２１０）。
【０１４０】
詳細には、上述したように、標準時刻信号のうち、予め設定された受信対象の時刻情報、たとえば時情報を受信したい場合には、内部時計１４０１により計時される時刻情報に基づいて、たとえば図６（ａ），（ｂ）に示すように、少なくとも１２秒目から１９秒目まで標準時刻信号を受信させるように、標準電波受信回路１１３０の受信タイミング制御を行う。
【０１４１】
また、制御回路１４は、受信状態に応じて受信周波数を切り替える制御を行ってもよい。
詳細には、制御回路１４は、標準電波信号の受信周波数を切り替えさせる制御信号ＣＴＬ１１２３を出力して、標準電波周波数切替部１１２０に受信周波数を４０ｋＨｚまたは６０ｋＨｚに切り替えさせて、受信状態の良いほうの標準時刻電波信号を受信する。
【０１４２】
具体的には、まず制御回路１４は、周波数４０ｋＨｚの標準時刻電波信号を受信させる制御信号ＣＴＬ１１２３を標準電波信号切替部１２１２に出力する。標準電波信号切替部１２１３は、その制御信号ＣＴＬ１１２３が入力されると、端子Ｔａと端子Ｔｂを接続して、共振周波数を４０ｋＨｚに設定する。標準電波受信回路１１３０では、フェライトバーアンテナ１１１０で受信した４０ｋＨｚの標準時刻電波信号に基づいてデコードを行い、標準時刻情報を信号Ｓ１１３０として制御回路１４に出力する。
【０１４３】
たとえば、制御回路１４は、正常に標準時刻情報をデコードできない場合には、周波数６０ｋＨｚの標準時刻電波信号を受信させる制御信号ＣＴＬ１１２３を標準電波信号切替部１２１２に出力する。標準電波信号切替部１２１３は、その制御信号ＣＴＬ１１２３が入力されると、端子Ｔａと端子Ｔｂを非導通状態に設定して、共振周波数を６０ｋＨｚに設定する。標準電波受信回路１１３０では、フェライトバーアンテナ１１１０で受信した６０ｋＨｚの標準時刻電波信号に基づいてデコードを行い、標準時刻情報を信号Ｓ１１３０として制御回路１４に出力する。
【０１４４】
制御回路１４は、標準電波受信回路１１３０から出力された受信対象の時刻情報、本実施形態では時情報に基づいて、内部時計１４０１により計時される時刻情報を修正する（ＳＴ２１１，ＳＴ２１２）。
【０１４５】
制御回路１４は、フェライトバーアンテナ１１１０を介して標準電波受信回路１１３０が受信した標準時刻電波信号を基に、内部時計１４０１により計時される時刻情報を修正し、上述したように内部時計１４０１が計時する時刻情報を基に、秒針駆動系１２０および時分針駆動系１３０を駆動して、指針による表示時刻を修正し（ＳＴ２１３）、ディスプレイ３０による表示時刻を修正し、ステップＳＴ２１４の処理に進む。
【０１４６】
ステップＳＴ２１４において、制御回路１４は、リセットスイッチ１２が操作されたか否かが判別され、操作されていないと判別された場合にはステップＳＴ２０４の処理に戻る。
【０１４７】
一方、ステップＳＴ２１４の判別において、リセットスイッチ１２が操作されたと判別された場合に、制御回路１４は、標準電波受信回路１１３０に標準時刻信号のフルコード受信を行わせる受信タイミング制御を行う（ＳＴ２１５）。
詳細には、制御回路１４は、図６（ａ），（ｂ）に示すように、標準電波受信回路１１３０に標準時刻信号のフルコード受信を行わせるように受信タイミング制御を行う。
【０１４８】
制御回路１４は、標準電波受信回路１１３０によるフルコード受信の結果（ＳＴ２１６）に基づいて、内部時計１４０１が計時する時刻情報を修正し（ＳＴ２１７）、内部時計１４０１による時刻情報に基づいて表示部２０やディスプレイ３０による表示時刻を修正し、ステップＳＴ２０４の処理に戻る。
【０１４９】
以上、説明したように、内部時計１４０１と、所定時刻、たとえば毎正時付近になると時報信号を含む放送波を受信するＡＭラジオ受信回路１１５０と、標準時刻信号を含む標準電波信号を受信する標準電波受信回路１１３０と、ＡＭラジオ受信回路１１５０により受信される時報信号に基づいて、内部時計１４０１が計時する時刻情報を修正し、設定された時刻になった場合に、標準時刻信号のうち時報信号により修正できる秒情報および分情報以外の、予め設定された時刻情報、たとえば時情報やサマータイム情報等を、標準電波受信回路１１３０に受信させる受信タイミング制御を行い、標準電波受信回路１１３０により受信された時刻情報に応じて内部時計１４０１が計時する時刻情報を修正する制御回路１４とを設けたので、標準時刻信号の受信状態がよくない場合であっても、ノイズによる影響が比較的小さいＡＭラジオ受信回路１１５０により受信された時報情報により、時刻修正を行うことができる。
【０１５０】
また、制御回路１４は、設定された時刻になった場合に、標準電波受信回路１１３０に、標準時刻情報のうち、時報情報により修正可能な分情報または秒情報以外の、予め設定された時刻情報、たとえば時情報やサマータイム情報を受信させる受信タイミング制御を行うので、時報信号により修正できる秒情報や分情報以外の、たとえば時情報、サマータイム情報等を修正することができる。
また、フルコード受信を行う場合と比べて消費電力を低減することができる。
【０１５１】
また、制御回路１４は、通常の時刻修正時には比較的消費電力の小さいＡＭラジオ受信回路１１５０により受信される時報情報に基づいて時刻修正を行い、設定された時刻、たとえば毎月数回程度、標準時刻信号のうち、設定された受信対象の時刻情報を受信するように、受信タイミング制御を行い、受信された受信対象の時刻情報に基づいて時刻修正を行うので、標準時刻信号をフルコード受信して時刻修正を行う一般的な電波修正時計と比べて、消費電力を低減することができる。
【０１５２】
なお、本発明は本実施形態に限られるものではなく、任意好適な種々の変更が可能である。
本実施形態では、標準時刻信号のうち、予め受信対象の時刻情報、たとえば時情報やサマータイム情報等が設定されていたが、この形態に限られるものではない。
たとえば、図２５に示すように、標準時刻信号のうち、時情報、年情報、月情報、日情報、サマータイム情報、または停波情報のいずれかの時刻情報を標準電波受信回路１１３０に受信させる受信設定を行う設定部１９を設け、制御回路１４は、その設定部１９から入力された設定情報を示す信号Ｓ１９に基づいて、標準時刻信号のうち、時情報、年情報、月情報、日情報、サマータイム情報、または停波情報のいずれかの時刻情報を標準電波受信回路１１３０に受信させる受信タイミング制御を行い、標準電波受信回路１１３０により受信された、時刻情報に基づいて内部時計１４０１により計時される時刻情報を修正してもよい。
たとえば、設定部１９は、スイッチやボタン、タッチパネル、キーボード等を含む。
上述したように、ユーザにより、標準時刻信号のうち受信対象の時刻情報を設定することができる。
【０１５３】
また、本実施形態では、指針、輪列、駆動モータ等を含む表示部２０、およびディスプレイ３０による時刻表示を行ったが、この形態に限られるものではない。たとえば、ディスプレイ（ＬＣＤ）３０のみにより、時刻表示を行ってもよい。
また、表示部２０による指針と文字板による時刻表示だけでもよい。
【０１５４】
また、時報情報を受信する放送波受信手段として本実施形態ではＡＭラジオ受信回路１１５０を説明したがこの形態に限られるものではない。たとえば、ＦＭラジオ放送受信回路やテレビジョン放送受信回路等により時報信号を受信してもよい。
【図面の簡単な説明】
【０１５５】
【図１】本発明に係る電波修正時計の一実施形態を示すブロック図である。
【図２】図１に示した電波修正時計における電波受信系の具体的な構成例を示す回路図である。
【図３】図１に示した電波修正時計の輪列部を含む平面図である。
【図４】図３に示した電波修正時計の断面図である。
【図５】本発明に係る制御回路における電波受信状態を説明するための図である。
【図６】標準時刻電波信号の時刻コードの一例を示している。（ａ）は毎時１５，４５分以外のフォーマット、（ｂ）は毎時１５分，４５分のフォーマットを示す。
【図７】図２に示したＡＭラジオ受信回路の構成例を示す回路図である。
【図８】一般的なＡＭラジオ放送電波に毎正時付近に含まれる時報情報の一具体例を示す図である。
【図９】図８に示した毎正時付近に時報情報を含むＡＭラジオ放送電波の周波数スペクトラムを説明するための図である。
【図１０】ヘテロダイン検波方式を採用した場合の図２に示したラジオ受信回路の構成例を示す回路図である。
【図１１】ヘテロダイン検波方式を採用した場合の図１０に示したラジオ受信回路の処理を説明するための図である。
【図１２】図１に示した電波修正時計の正面図である。
【図１３】電波修正時計の一部である秒針を駆動する第１駆動系を示す平面図である。
【図１４】電波修正時計の一部である分針および時針を駆動する第２駆動系を示す平面図である。
【図１５】秒針を駆動する第１駆動系の一部をなす第１の５番車を示す平面図である。
【図１６】秒針を駆動する第１駆動系の一部をなす秒針車を示す平面図である。
【図１７】秒針を駆動する第１駆動系の一部をなす秒針車の他の例を示す平面図である。
【図１８】分針および時針を駆動する第２駆動系の一部をなす３番車を示す平面図である。
【図１９】分針および時針を駆動する第２駆動系の一部をなす分針車を示す平面図である。
【図２０】分針および時針を駆動する第２駆動系の一部をなす時針車を示す平面図である。
【図２１】分針パイプおよび時針パイプの先端部を示す端面図である。
【図２２】図１に示した電波修正時計の指針位置検出処理の動作を示すフローチャートである。
【図２３】図１に示した電波修正時計の検出光の出力パターンを説明するための図である。
【図２４】図１に示した電波修正時計の全体の動作を説明するためのフローチャートである。
【図２５】本発明に係る電波修正時計の他の実施形態を示す回路図である。
【符号の説明】
【０１５６】
１…電波修正時計、１１…電波受信系、１２…リセットスイッチ、１３…発振回路、１４…制御回路、１５…ドライブ回路、１６…発光素子、１７…バッファ回路、１８…ドライブ回路、１９…設定部、２０…表示部、１００…時計本体部（機械機構：ムーブメント）、１１１…下ケース、１１２…上ケース、１１３…中板、１２０…第１駆動系（秒針駆動系）、１２１…秒針用モータ（第一駆動源）、１２２…第１の５番車（第一伝達歯車、第一検出用歯車）、１２３…秒針車（第２検出用歯車、第一指針車）、１２６…６番車、１２７…７番車、１３０…第２駆動系（時分針駆動系）、１３１…時分針用モータ（第２駆動源）、１３２…第２の５番車、１３３…３番車、１３４…分針車（第２指針車）、１３５…日の裏車、１３６…時針車（第２指針車）、１４０…光検出センサ、１４２…発光素子、１４３…回路基板、１４４…受光素子、１５０…手動修正系、１５１…手動修正軸、１１１０…フェライトバーアンテナ、１１２０…標準電波周波数切替部、１１３０…長波（標準電波）受信回路、１１４０…ラジオ放送周波数切替部、１１５０…ＡＭラジオ受信回路、１１５１，１１５４…アンプ、１１５２，１１５７…水晶フィルタ部、１１５３，１１５８…検波回路、１１５５…局部発振回路、１１５６…周波数変換回路、１１６０…フィルタ部、１４０１…内部時計、１４０２…メモリ。
【図１】
2006112937.tif 000004
【図２】
2006112937.tif 000005
【図３】
2006112937.tif 000006
【図４】
2006112937.tif 000007
【図５】
2006112937.tif 000008
【図６】
2006112937.tif 000009
【図７】
2006112937.tif 000010
【図８】
2006112937.tif 000011
【図９】
2006112937.tif 000012
【図１０】
2006112937.tif 000013
【図１１】
2006112937.tif 000014
【図１２】
2006112937.tif 000015
【図１３】
2006112937.tif 000016
【図１４】
2006112937.tif 000017
【図１５】
2006112937.tif 000018
【図１６】
2006112937.tif 000019
【図１７】
2006112937.tif 000020
【図１８】
2006112937.tif 000021
【図１９】
2006112937.tif 000022
【図２０】
2006112937.tif 000023
【図２１】
2006112937.tif 000024
【図２２】
2006112937.tif 000025
【図２３】
2006112937.tif 000026
【図２４】
2006112937.tif 000027
【図２５】
2006112937.tif 000028